(57)【特許請求の範囲】
【請求項１】
ケース本体内部に収容空間を有し、ケース本体の上部に上開きの扉体を備えた箱型のケースであって、前記扉体は後縁をヒンジにて回動可能となし、前記ケース本体の側板部内に下端を枢着したガススプリングを、該側板部の上面に形成した縦長スリットから上方へ導き、その上端を前記扉体の中間部に枢着するとともに、該扉体を開放する際には、前記ガススプリングが縦長スリット内を後方へ移動し、該扉体を閉止する際には、前記ガススプリングが縦長スリット内を前方へ移動するように配置し、前記扉体を上方へ開放した状態で、前記ガススプリングの縦長スリット前方への移動を、該ガススプリングを係止し若しくは当止して規制するストッパー手段を該縦長スリットの近傍に設けたことを特徴とする上開き扉付きケースの扉開閉装置。
【請求項２】
前記ストッパー手段が、前記側板部の上面に設けた回転可能なフックであり、該フックで前記ガススプリングを係止してなる請求項１記載の上開き扉付きケースの扉開閉装置。
【請求項３】
前記ストッパー手段が、前記縦長スリットの前部に嵌入して前記ガススプリングを当止する当止部材である請求項１記載の上開き扉付きケースの扉開閉装置。
【請求項４】
前記当止部材が、本体ケースから分離し前記縦長スリットの前部に嵌入する埋設部材又は一端部を前記ガススプリングに対して上下スライド可能に係着し前記縦長スリットの前部に上方から嵌入する嵌合部材又は前記縦長スリットの前方に一端を前後回動可能に取付け後方へ回動させて前記ガススプリングを当止する回動部材である請求項３記載の上開き扉付きケースの扉開閉装置。
【発明の詳細な説明】
【０００１】
【発明の属する技術分野】
本発明は、上開き扉付きケースの扉開閉装置に係わり、更に詳しくは博物館や美術館等で貴重な美術品等を収容し展示するための上開き扉付きケースの扉開閉装置に関するものである。
【０００２】
【従来の技術】
従来から、博物館や美術館等で貴重な美術品等を収容し展示するため、ケース本体内部に収容空間を有し、ケース本体の上部に上開きの扉体を備えた箱型の上開き扉付きケースが存在し、前記扉体の開閉を容易にするためにガススプリングを用いることも知られている。
【０００３】
前記扉体は上方から内部の展示品を覗き込むようにしたものであり、該扉体にはガラス板等の透光性パネルが嵌めこまれ、その強度を保つために頑丈に作られている。従って、前記扉体は重量が重く、それを開放するには多大の力を要するが、前記ガススプリングで大部分の扉体の重量を相殺し、比較的軽く解放できるようになっている。
【０００４】
しかし、ガススプリングの枢着部が外れたり、ガススプリング自体が所定の機能を果たさなくなることも予想される。これが、扉体を開放した状態で、また収容空間内の展示物を出し入れしている作業中に、前述の不測の事態になると非常に危険である。そのため、前記ケース本体と扉体の間にステーを立てて、強制的に扉体が閉止しないようにしているものもあるが、それでは展示物の出し入れ作業に邪魔になるばかりでなく、不意にステーに当たって外れることも予想されるので危険である。
【０００５】
【発明が解決しようとする課題】
そこで、本発明が前述の状況に鑑み、解決しようとするところは、ケース本体内部に収容空間を有し、ケース本体の上部に上開きの扉体を備えた箱型のケースにおいて、ガススプリングを扉体の開放支援として用いた場合でも、簡単且つ確実に扉体の開放状態を維持することが可能であるばかりでなく、物品の出し入れ作業にも全く邪魔にならない上開き扉付きケースの扉開閉装置を提供する点にある。
【０００６】
【課題を解決するための手段】
本発明は、前述の課題解決のために、ケース本体内部に収容空間を有し、ケース本体の上部に上開きの扉体を備えた箱型のケースであって、前記扉体は後縁をヒンジにて回動可能となし、前記ケース本体の側板部内に下端を枢着したガススプリングを、該側板部の上面に形成した縦長スリットから上方へ導き、その上端を前記扉体の中間部に枢着するとともに、該扉体を開放する際には、前記ガススプリングが縦長スリット内を後方へ移動し、該扉体を閉止する際には、前記ガススプリングが縦長スリット内を前方へ移動するように配置し、前記扉体を上方へ開放した状態で、前記ガススプリングの縦長スリット前方への移動を、該ガススプリングを係止し若しくは当止して規制するストッパー手段を該縦長スリットの近傍に設けてなる上開き扉付きケースの扉開閉装置を構成した。
【０００７】
ここで、前記ストッパー手段が、前記側板部の上面に設けた回転可能なフックであり、該フックで前記ガススプリングを係止してなるものであることが好ましい形態である。
【０００８】
また、前記ストッパー手段が、前記縦長スリットの前部に嵌入して前記ガススプリングを当止する当止部材であることも好ましい。この場合、具体的には、前記当止部材が、本体ケースから分離し前記縦長スリットの前部に嵌入する埋設部材又は一端部を前記ガススプリングに対して上下スライド可能に係着し前記縦長スリットの前部に上方から嵌入する嵌合部材又は前記縦長スリットの前方に一端を前後回動可能に取付け後方へ回動させて前記ガススプリングを当止する回動部材である。
【０００９】
【発明の実施の形態】
次に本発明の実施の形態を添付図面に基づき更に詳細に説明する。図１〜図４は本発明に係る上開き扉付きケースの扉開閉装置の第１実施形態を示し、図中符号１はケース本体、２は扉体、３はヒンジ、４はガススプリング、５はストッパー手段をそれぞれ示している。
【００１０】
本発明に係る上開き扉付きケースの扉開閉装置は、ケース本体１の内部に収容空間６を有し、ケース本体１の上部に上開きの扉体２を備えた箱型のケースであって、前記扉体２は後縁をヒンジ３にて回動可能となし、前記ケース本体１の側板部７内に下端を枢着したガススプリング４を、該側板部７の上面に形成した縦長スリット８から上方へ導き、その上端を前記扉体２の中間部に枢着し、前記扉体２を上方へ開放した状態で、前記ガススプリング４の縦長スリット８前方への移動を規制するストッパー手段５を該縦長スリット８の近傍に設けたものである。
【００１１】
更に詳しくは、前記ケース本体１は、下部にベース部９を有し、その上方に内部に美術品等の物品の収容空間６を形成し、収容空間６の最奥部の上方に照明器具１０を設けた上方開放した箱型であり、前記収容空間６の両側には、内部が中空の側板部７，７を設け、更に前記扉体２は周囲のフレーム１１にてガラス板等の透光性パネル１２を装着し、該透光性パネル１２を通して収容空間６に置いた美術品等の展示物品を覗き込むことができるようになっている。
【００１２】
前記扉体２は、後縁を前記ヒンジ３にて上下回動可能に取付け、前記側板部７内の下方、例えば前記ベース部９のベースフレーム１３に、ガススプリング４の下端部を第１ヒンジ１４にて前後揺動可能に連結するとともに、ガススプリング４の上端部は、前記側板部７の上面１５に形成した前記縦長スリット８から上方へ導き出し、その上端を前記扉体２のヒンジ３よりも十分に前方の中間部下面に第２ヒンジ１６にて前後揺動可能に連結している。
【００１３】
そして、前記扉体２が開閉動作すると、前記ガススプリング４は伸縮しながら、前記縦長スリット８内を前後方向へ移動する。つまり、扉体２を開放する際には、前記ガススプリング４は、縦長スリット８内を後方へ移動し、ガススプリング４が縦長スリット８の後端に当止して前記扉体２が最大開放する。一方、前記扉体２を閉止する際には、前記ガススプリング４は、縦長スリット８内を前方へ移動する。
【００１４】
そこで、本発明に係る扉開閉装置は、扉体２を所定の開放状態になった際に、その開放状態を維持するために、前記ストッパー手段５として、前記側板部７の上面８に設けた回転可能なフック１７で前記ガススプリング４を係止するようになしたものである。更に詳しくは、前記フック１７は、前記縦長スリット８の後方で側板部７の上面１５に、該上面１５に垂直なピン１８で上面１５に沿って回転可能となし、該フック１７の先端側に側方へ開放した係合凹部１９を設け、該フック１７を回転させてその係合凹部１９内にガススプリング４を受け入れ、該ガススプリング４の前方移動を規制し、もって扉体２を開放状態で維持するのである。尚、前記フック１７をガススプリング４に係止した状態が容易に外れないように、係合凹部１９の開放端にガススプリング４を無理嵌めし得る突起を形成したり、更にはフック１７の回転を規制する規制ピンを該フック１７と上面１５に形成した孔に同時に挿入するなどの手段を併用することが好ましい。
【００１５】
また、前記ストッパー手段５の他の実施形態として、図５〜図７に示すように、前記縦長スリット８の前部に嵌入して前記ガススプリング４を当止する当止部材２０を用いることができる。ここで、図５に示したものは、前記当止部材２０が、本体ケース１から分離し前記縦長スリット８の前部に嵌入する埋設部材２１からなるものである。即ち、前記埋設部材２１は、前記扉体２を所定の開放状態となした後、ガススプリング４より前方の縦長スリット８内に、全体が嵌入する形状となっている。
【００１６】
また、図６に示したものは、前記当止部材２０が、一端部を前記ガススプリング４に対して上下スライド可能に係着し前記縦長スリット８の前部に上方から嵌入する嵌合部材２２からなるものである。即ち、前記嵌合部材２２は一端部に前記ガススプリング４をスライド可能に挿通する円孔２３を形成することもに、下面の前後端部に前記縦長スリット８の前後端に嵌入する突片２４，２４を形成したものである。
【００１７】
また、図７に示したものは、前記当止部材２０が、前記縦長スリット８の前方に一端を前後回動可能に取付け後方へ回動させて前記ガススプリング４を当止する回動部材２５からなるものである。即ち、前記回動部材２５は、一端部を前記縦長スリット８より前方の上面１５に横方向の回転軸を有する蝶番２６で蝶着し、該回動部材２５を後方へ１８０°反転させて、その先端の凹部２７で前記ガススプリング４の前側を当止したものである。
【００１８】
以上のように、本発明に係る扉開閉装置は、扉体２の開閉を支援するガススプリング４の縦長スリット８内での移動を、扉体２が所定の開放状態になった際に強制的に規制することを趣旨としてあり、この趣旨に合致した構造であれば他のものも採用できるのである。また、前述の実施形態では、ガススプリング４を扉体２の開閉支援に用いたが、ガススプリング４と同等の杆体状の開閉支援であれば他のものも採用可能である。
【００１９】
【発明の効果】
以上にしてなる請求項１に係る本発明の上開き扉付きケースの扉開閉装置は、ケース本体内部に収容空間を有し、ケース本体の上部に上開きの扉体を備えた箱型のケースであって、前記扉体は後縁をヒンジにて回動可能となし、前記ケース本体の側板部内に下端を枢着したガススプリングを、該側板部の上面に形成した縦長スリットから上方へ導き、その上端を前記扉体の中間部に枢着するとともに、該扉体を開放する際には、前記ガススプリングが縦長スリット内を後方へ移動し、該扉体を閉止する際には、前記ガススプリングが縦長スリット内を前方へ移動するように配置し、前記扉体を上方へ開放した状態で、前記ガススプリングの縦長スリット前方への移動を、該ガススプリングを係止し若しくは当止して規制するストッパー手段を該縦長スリットの近傍に設けたので、ガススプリングを扉体の開放支援として用いた場合でも、確実に扉体の開放状態を維持することができるばかりでなく、物品の出し入れ作業にも全く邪魔にならないのである。
【００２０】
請求項２によれば、ストッパー手段が、前記側板部の上面に設けた回転可能なフックであり、該フックで前記ガススプリングを係止してなるので、簡単且つ確実に扉体の開放状態を維持することができ、当然物品の出し入れ作業にも全く邪魔にならないのである。
【００２１】
請求項３及び４によれば、前記ストッパー手段が、前記縦長スリットの前部に嵌入して前記ガススプリングを当止する当止部材であるので、前記同様な効果奏するのである。
【図面の簡単な説明】
【図１】本発明に係る上開き扉付きケースの扉開閉装置の全体斜視図である。
【図２】同じく簡略縦断側面図である。
【図３】本発明の第１実施形態を示す要部斜視図である。
【図４】同じく部分拡大斜視図である。
【図５】本発明の第２実施形態を示す要部斜視図である。
【図６】同じく第２実施形態の変形例を示す要部斜視図である。
【図７】同じく第２実施形態の別の変形例を示す要部斜視図である。
【符号の説明】
１  ケース本体
２  扉体
３  ヒンジ
４  ガススプリング
５  ストッパー手段
６  収容空間
７  側板部
８  縦長スリット
９  ベース部
１０  照明器具
１１  フレーム
１２  透光性パネル
１３  ベースフレーム
１４  第１ヒンジ
１５  上面
１６  第２ヒンジ
１７  フック
１８  ピン
１９  係合凹部
２０  当止部材
２１  埋設部材
２２  嵌合部材
２３  円孔
２４  突片
２５  回動部材
２６  蝶番
２７  凹部
【図１】
0003714067.tif 000002
【図２】
0003714067.tif 000003
【図３】
0003714067.tif 000004
【図４】
0003714067.tif 000005
【図５】
0003714067.tif 000006
【図６】
0003714067.tif 000007
【図７】
0003714067.tif 000008